(57)【特許請求の範囲】
【請求項１】
時間領域でプライマリ同期信号（ＰＳＳ）を実装する方法であって、異なるサンプリングレートと異なるＮＩＤ（２）設定でのＰＳＳ時間領域シーケンスを予め記憶し、前記方法は更に、
ＰＳＳパワー制御の関連パラメータ及びセルの関連パラメータ並びにタイミング情報に基づいて、ＰＳＳ時間領域パワー重み付けの関連パラメータを得ることと、
予め記憶された異なるサンプリングレートと異なるＮＩＤ（２）設定でのＰＳＳ時間領域シーケンス、及びＰＳＳ時間領域パワー重み付けの関連パラメータに従って、予め記憶された異なるサンプリングレートと異なるＮＩＤ（２）設定でのＰＳＳ時間領域シーケンスに対してパワー重み付け処理を行い、重み付け後のＰＳＳ時間領域シーケンスを得ることと、
重み付け後のＰＳＳ時間領域シーケンスと前記ＰＳＳ以外の信号及びチャネルの時間領域データに対して加算演算を行い、処理後の時間領域データを得ることと、を含む、前記方法。
【請求項２】
前記異なるサンプリングレートと異なるＮＩＤ（２）設定でのＰＳＳ時間領域シーケンスを予め記憶することは、
異なるＮＩＤ（２）設定でのＰＳＳ周波数領域シーケンスを予め得て、前記ＰＳＳ周波数領域シーケンスに対して異なるサンプリングレートでの逆高速フーリエ変換（ＩＦＦＴ）処理を行い、異なるサンプリングレートと異なるＮＩＤ（２）設定でのＰＳＳ時間領域シーケンスを得て記憶することであることを特徴とする
請求項１に記載の方法。
【請求項３】
前記異なるＮＩＤ（２）設定でのＰＳＳ周波数領域シーケンスを予め得ることは、
ＬＴＥ物理レイヤプロトコルにおけるＰＳＳの生成式を用いてＰＳＳ周波数領域シーケンスを得て、前記ＬＴＥ物理レイヤプロトコルにおけるＰＳＳの生成式は次式を満たし、
【数１】
0006055158.tif 000015
ここで、ＮＩＤ（２）の値域は｛０，１，２｝であり、ＮＩＤ（２）の値が０であるときに、ｕの値が２５であり、ＮＩＤ（２）の値が１であるときに、ｕの値が２９であり、ＮＩＤ（２）の値が２であるときに、ｕの値が３４であり、
或いは、ゼロ周波数に対応する直流成分を排除しないＰＳＳ周波数領域シーケンス生成式を用いてＰＳＳ周波数領域シーケンスを得て、前記ゼロ周波数に対応する直流成分を排除しないＰＳＳ周波数領域シーケンス生成式は次式を満たし、
【数２】
0006055158.tif 000016
ここで、ＮＩＤ（２）の値域は｛０，１，２｝であり、ＮＩＤ（２）の値が０であるときに、ｕの値が２５であり、ＮＩＤ（２）の値が１であるときに、ｕの値が２９であり、ＮＩＤ（２）の値が２であるときに、ｕの値が３４であることを特徴とする
請求項２に記載の方法。
【請求項４】
前記ＰＳＳ時間領域パワー重み付けの関連パラメータは、セル基準信号パワー、セル基準信号パワーに対するＰＳＳのパワーオフセット、時間領域セル放送重み付け或いは巡回遅延ダイバーシティ（ＣＤＤ）重み付け、時間領域アンテナ校正（ＡＣ）の関連重み付けを含むことを特徴とする
請求項１又は２に記載の方法。
【請求項５】
時間領域でプライマリ同期信号（ＰＳＳ）を実装する装置であって、前記装置は、パワー重み付けモジュール及び少なくとも一つのＰＳＳ時間領域データ処理モジュールを含み、
前記パワー重み付けモジュールは、ＰＳＳパワー制御の関連パラメータ及びセルの関連パラメータ並びにタイミング情報に基づいて、ＰＳＳ時間領域パワー重み付けの関連パラメータを得て、ＰＳＳ時間領域パワー重み付けの関連パラメータをＰＳＳ時間領域データ処理モジュールに送信するように構成され、
前記ＰＳＳ時間領域データ処理モジュールは、異なるサンプリングレートと異なるＮＩＤ（２）設定でのＰＳＳ時間領域シーケンスを予め記憶し、及び予め記憶された異なるサンプリングレートと異なるＮＩＤ（２）設定でのＰＳＳ時間領域シーケンス、及びＰＳＳ時間領域パワー重み付けの関連パラメータに従って、ＰＳＳ時間領域シーケンスに対してパワー重み付け処理を行い、重み付け後のＰＳＳ時間領域シーケンスを得て、重み付け後のＰＳＳ時間領域シーケンスと前記ＰＳＳ以外の信号及びチャネルの時間領域データに対して加算演算を行い、処理後の時間領域データを得るように構成される、前記装置。
【請求項６】
前記装置は更にｎパス逆高速フーリエ変換（ＩＦＦＴ）処理モジュールとデータキャッシュモジュールを含み、
前記ｎパスＩＦＦＴ処理モジュールは、ＰＳＳ以外の他の信号及びチャネルの時間領域データを得て、他の信号の時間領域データをＰＳＳ時間領域データ処理モジュールに送信するように構成され、
前記データキャッシュモジュールは、ＰＳＳ時間領域データ処理モジュールから送信した前記処理後の時間領域データを受信して、シンボルを単位として前記処理後の時間領域データをキャッシュするように構成されることを特徴とする
請求項５に記載の装置。
【請求項７】
前記データキャッシュモジュールはランダムアクセスメモリ（ＲＡＭ）であることを特徴とする
請求項６に記載の装置。
【請求項８】
前記ＰＳＳ時間領域パワー重み付けの関連パラメータは、セル基準信号パワー、セル基準信号パワーに対するＰＳＳのパワーオフセット、時間領域セル放送重み付け或いは巡回遅延ダイバーシティ（ＣＤＤ）重み付け、時間領域アンテナ校正（ＡＣ）の関連重み付けを含むことを特徴とする
請求項５又は６に記載の装置。
【請求項９】
コンピュータ記憶媒体であって、
請求項１〜４のいずれか一項に記載の時間領域でＰＳＳを実装する方法を実行するためのコンピュータ実行可能命令が記憶されている、前記コンピュータ記憶媒体。
【発明の詳細な説明】
【技術分野】
【０００１】
本発明はダウンリンク物理レイヤの処理技術に関し、特に時間領域でプライマリ同期信号（ＰＳＳ：Ｐｒｉｍａｒｙ  Ｓｙｎｃｈｒｏｎｉｚａｔｉｏｎ  Ｓｉｇｎａｌ）を実装する方法、装置及びコンピュータ記憶媒体に関する。
【背景技術】
【０００２】
現在、無線通信分野において、第四世代（４Ｇ）プロトコル標準―ロングタームエボリューション（ＬＴＥ：Ｌｏｎｇ  Ｔｅｒｍ  Ｅｖｏｌｕｔｉｏｎ）に基づく無線通信システムはますます広く応用される。ＬＴＥプロトコル標準は多くの主流無線通信装置メーカーの優れた提案を吸収し及び採用し、優れた提案の集合と見なされることができる。ＬＴＥプロトコルはＬＴＥシステムデザインの基礎として、ＬＴＥシステムの各レベルに対していずれも比較的詳細な定義を行い、当然にＬＴＥダウンリンク物理レイヤの処理を含み、特にＬＴＥ  ＰＳＳの生成及びマッピングルールについて、ＬＴＥプロトコル標準には詳細な説明がある。
【０００３】
ＬＴＥプロトコルはＰＳＳ物理レイヤ処理に対する説明が、主にＬＴＥにおけるＰＳＳの生成ルールとＰＳＳのマッピングルールという二つの方面を含む。
【０００４】
具体的には、ＰＳＳに対するＬＴＥ物理レイヤプロトコルにおける生成ルールが、式（１）のような定義がある。
【０００５】
【数１】
0006055158.tif 000002
【０００６】
ここで、ＮＩＤ（２）の値域は｛０，１，２｝であり、ＮＩＤ（２）の値が０であるときに、ｕの値が２５であり、ＮＩＤ（２）の値が１であるときに、ｕの値が２９であり、ＮＩＤ（２）の値が２であるときに、ｕの値が３４である。
【０００７】
上記式（１）において、ｄｕ（ｎ）はＰＳＳシーケンスに対応し、ｎの値域からわかるように、それが６２個のＲＥサンプリングポイントに対応し、ｕの値からわかるように、ＰＳＳシーケンスの値は、ＮＩＤ（２）のみに関連され、ＮＩＤ（２）の値域は｛０，１，２｝である。上述したように、ＰＳＳシーケンスはＮＩＤ（２）の三種類の異なる値｛０，１，２｝により、それぞれ三種類の異なるシーケンス値に対応され、各シーケンスはまたそれぞれ６２個のＲＥサンプリングポイントに対応される。
【０００８】
ＰＳＳに対するＬＴＥ物理レイヤプロトコルのマッピングルールは、式（２）のような定義がある。
【０００９】
【数２】
0006055158.tif 000003
【００１０】
フレーム構造タイプ１に対して、ＰＳＳはタイムスロット０とタイムスロット１０の最後の一つの直交周波数分割多重方式（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）用シンボルにマッピングする。フレーム構造タイプ２に対して、ＰＳＳはサブフレーム１とサブフレーム６の第３のＯＦＤＭシンボルにマッピングする。次のＲＥサンプリングポイントに対しては、ＲＥを保留するためにＰＳＳを伝送せず、即ちＲＥのマッピング値は「０」である。
【００１１】
【数３】
0006055158.tif 000004
【００１２】
ＰＳＳに対するＬＴＥ物理レイヤプロトコルにおける定義は、いずれもＰＳＳの周波数領域に基づく実装によるものである。上記定義を参照して、周波数領域でＰＳＳを実装するフローチャートは図１に示すように、ステップ１０１において、周波数領域処理であって、具体的にはＰＳＳ生成とパワー制御、及びリソースエレメント（ＲＥ：Ｒｅｓｏｕｒｃｅ  Ｅｌｅｍｅｎｔ）マッピングを含み、具体的にはＰＳＳのマッピング及び他の信号並びにチャネルのマッピングであること、ステップ１０２において、周波数／時間領域変換であって、具体的には逆高速フーリエ変換（ＩＦＦＴ：Ｉｎｖｅｒｓｅ  Ｆａｓｔ  Ｆｏｕｒｉｅｒ  Ｔｒａｎｓｆｏｒｍ）であること、ステップ１０３において、時間領域処理であって、具体的にはＩＦＦＴシークエントキャッシング（ｓｅｑｕｅｎｔ  ｃａｃｈｉｎｇ）であることを含む。
【００１３】
ＬＴＥ物理レイヤプロトコル定義によって周波数領域でＰＳＳを実装する方法を採用すれば、周波数領域ＲＥマッピングはＲＥサンプリングポイントへのシリアルマッピング過程であるため、周波数領域ＰＳＳ  ＲＥのマッピング過程において、一定の時間オーバーヘッドを引き起こすことができ、更にＬＴＥダウンリンク物理レイヤ処理の時間を増やす。したがって、どのようにＬＴＥダウンリンク物理レイヤリンクの処理効率を向上させるのかは急務になった。
【発明の概要】
【発明が解決しようとする課題】
【００１４】
これを鑑みて、従来に存在した問題を解決するために、本発明の実施例は時間領域でプライマリ同期信号（ＰＳＳ）を実装する方法、装置及びコンピュータ記憶媒体を提供することによって、ＰＳＳの関連機能の完全実現を確保する前提で、ＬＴＥダウンリンク物理レイヤリンクの処理効率を高めることができる。
【課題を解決するための手段】
【００１５】
前記目的を実現するために、本発明実施例の技術的解決手段は、以下のように実現される。
【００１６】
本発明の実施例は時間領域でプライマリ同期信号（ＰＳＳ）を実装する方法を提供し、異なるサンプリングレートと異なるＮＩＤ（２）設定でのＰＳＳ時間領域シーケンスを予め記憶し、前記方法は更に、
ＰＳＳパワー制御の関連パラメータ及びセルの関連パラメータ並びにタイミング情報に基づいて、ＰＳＳ時間領域パワー重み付けの関連パラメータを得ることと、
予め記憶された異なるサンプリングレートと異なるＮＩＤ（２）設定でのＰＳＳ時間領域シーケンス、及びＰＳＳ時間領域パワー重み付けの関連パラメータに従って、予め記憶された異なるサンプリングレートと異なるＮＩＤ（２）設定でのＰＳＳ時間領域シーケンスに対してパワー重み付け処理を行い、重み付け後のＰＳＳ時間領域シーケンスを得ることと、
重み付け後のＰＳＳ時間領域シーケンスと前記ＰＳＳ以外の信号及びチャネルの時間領域データに対して加算演算を行い、処理後の時間領域データを得ることと、を含む。
【００１７】
好ましく、前記異なるサンプリングレートと異なるＮＩＤ（２）設定でのＰＳＳ時間領域シーケンスを予め記憶することは、
異なるＮＩＤ（２）設定でのＰＳＳ周波数領域シーケンスを予め得て、前記ＰＳＳ周波数領域シーケンスに対して異なるサンプリングレートでの逆高速フーリエ変換（ＩＦＦＴ）処理を行い、異なるサンプリングレートと異なるＮＩＤ（２）設定でのＰＳＳ時間領域シーケンスを得て記憶することである。
【００１８】
好ましく、前記異なるＮＩＤ（２）設定でのＰＳＳ周波数領域シーケンスを予め得ることは、
ＬＴＥ物理レイヤプロトコルにおけるＰＳＳの生成式を用いてＰＳＳ周波数領域シーケンスを得て、前記ＬＴＥ物理レイヤプロトコルにおけるＰＳＳの生成式は次式を満たす。
【００１９】
【数４】
0006055158.tif 000005
【００２０】
ここで、ＮＩＤ（２）の値域は｛０，１，２｝であり、ＮＩＤ（２）の値が０であるときに、ｕの値が２５であり、ＮＩＤ（２）の値が１であるときに、ｕの値が２９であり、ＮＩＤ（２）の値が２であるときに、ｕの値が３４である。
【００２１】
或いは、ゼロ周波数に対応する直流成分を排除しないＰＳＳ周波数領域シーケンス生成式を用いてＰＳＳ周波数領域シーケンスを得て、前記ゼロ周波数に対応する直流成分を排除しないＰＳＳ周波数領域シーケンス生成式は次式を満たす。
【００２２】
【数５】
0006055158.tif 000006
【００２３】
ここで、ＮＩＤ（２）の値域は｛０，１，２｝であり、ＮＩＤ（２）の値が０であるときに、ｕの値が２５であり、ＮＩＤ（２）の値が１であるときに、ｕの値が２９であり、ＮＩＤ（２）の値が２であるときに、ｕの値が３４である。
【００２４】
好ましく、前記ＰＳＳ時間領域パワー重み付けの関連パラメータは、セル基準信号パワー、セル基準信号パワーに対するＰＳＳのパワーオフセット、時間領域セル放送重み付け或いは巡回遅延ダイバーシティ（ＣＤＤ：Ｃｙｃｌｉｃ  Ｄｅｌａｙ  Ｄｉｖｅｒｓｉｔｙ）重み付け、時間領域アンテナ校正（ＡＣ：Ａｎｔｅｎｎａ  Ｃａｌｉｂｒａｔｉｏｎ）の関連重み付けを含む。
【００２５】
本発明の実施例は更に時間領域でプライマリ同期信号（ＰＳＳ）を実装する装置を提供し、前記装置はパワー重み付けモジュール及び少なくとも一つのＰＳＳ時間領域データ処理モジュールを含み、
前記パワー重み付けモジュールは、ＰＳＳパワー制御の関連パラメータ及びセルの関連パラメータ並びにタイミング情報に基づいて、ＰＳＳ時間領域パワー重み付けの関連パラメータを得て、ＰＳＳ時間領域パワー重み付けの関連パラメータをＰＳＳ時間領域データ処理モジュールに送信するように構成され、
前記ＰＳＳ時間領域データ処理モジュールは、異なるサンプリングレートと異なるＮＩＤ（２）設定でのＰＳＳ時間領域シーケンスを予め記憶し、及び予め記憶された異なるサンプリングレートと異なるＮＩＤ（２）設定でのＰＳＳ時間領域シーケンス、及びＰＳＳ時間領域パワー重み付けの関連パラメータに従って、ＰＳＳ時間領域シーケンスに対してパワー重み付け処理を行い、重み付け後のＰＳＳ時間領域シーケンスを得て、重み付け後のＰＳＳ時間領域シーケンスと前記ＰＳＳ以外の信号及びチャネルの時間領域データに対して加算演算を行い、処理後の時間領域データを得るように構成される。
【００２６】
好ましく、前記装置は更にｎパス逆高速フーリエ変換（ＩＦＦＴ）処理モジュールとデータキャッシュモジュールを含み、
前記ｎパスＩＦＦＴ処理モジュールは、ＰＳＳ以外の他の信号及びチャネルの時間領域データを得て、他の信号の時間領域データをＰＳＳ時間領域データ処理モジュールに送信するように構成され、
前記データキャッシュモジュールは、ＰＳＳ時間領域データ処理モジュールから送信した前記処理後の時間領域データを受信して、シンボルを単位として前記処理後の時間領域データをキャッシュするように構成される。
【００２７】
好ましく、前記データキャッシュモジュールはランダムアクセスメモリ（ＲＡＭ：Ｒａｎｄｏｍ  Ａｃｃｅｓｓ  Ｍｅｍｏｒｙ）である。
【００２８】
好ましく、前記ＰＳＳ時間領域パワー重み付けの関連パラメータは、セル基準信号パワー、セル基準信号パワーに対するＰＳＳのパワーオフセット、時間領域セル放送重み付け或いは巡回遅延ダイバーシティ（ＣＤＤ）重み付け、時間領域アンテナ校正（ＡＣ）の関連重み付けを含む。
【００２９】
本発明の実施例は更にコンピュータ記憶媒体を提供し、前記コンピュータ記憶媒体は、本発明の実施例における前記時間領域でＰＳＳを実装する方法を実行するためのコンピュータ実行可能命令を記憶している。
【００３０】
本発明の実施例によって提供される時間領域でプライマリ同期信号（ＰＳＳ）を実装する方法及び装置は、異なるサンプリングレートと異なるＮＩＤ（２）設定でのＰＳＳ時間領域シーケンスを予め記憶し、ＰＳＳパワー制御の関連パラメータ及びセルの関連パラメータ並びにタイミング情報に基づいて、ＰＳＳ時間領域パワー重み付けの関連パラメータを得て、予め記憶された異なるサンプリングレートと異なるＮＩＤ（２）設定でのＰＳＳ時間領域シーケンス、及びＰＳＳ時間領域パワー重み付けの関連パラメータに従って、ＰＳＳ時間領域シーケンスに対してパワー重み付け処理を行い、重み付け後のＰＳＳ時間領域シーケンスを得て、重み付け後のＰＳＳ時間領域シーケンスと前記ＰＳＳ以外の信号及びチャネルの時間領域データに対して加算演算を行い、処理後の時間領域データを得る。このように、ＰＳＳ周波数領域ＲＥマッピングを完了し及び他の信号並びにチャネルマッピングのシンボルをＩＦＦＴ処理によって周波数／時間領域変換を実現することができ、更に該シンボルに対する時間領域データを得て、ＰＳＳ及びＰＳＳ以外の他の信号並びにチャネルのデータとそれぞれＲＥマッピングとＩＦＦＴ処理を行って二セットの時間領域データを得て、それぞれ得られた二セットの時間領域データに対して加算演算を行い、上記二種類の指定シンボルＲＥマッピングと周波数／時間領域変換を完了する方式は等価関係を備える。したがって、本発明の実施例によれば、ＰＳＳ関連機能の完全実現を確保する前提で、周波数領域でＰＳＳ  ＲＥマッピングによる時間オーバーヘッドを回避し、更にＬＴＥダウンリンク物理レイヤリンクの処理効率を大幅に高める。
【図面の簡単な説明】
【００３１】
【図１】周波数領域でのＰＳＳを実装する処理ブロック図である。
【図２】本発明の実施例に係る時間領域でＰＳＳを実装する基本的な方法のフロー概略図である。
【図３】本発明の実施例に係る周波数／時間領域ででＰＳＳを実装する等価ブロック図である。
【図４】本発明の実施例に係る時間領域でＰＳＳを実装する方法のフロー概略図である。
【図５】本発明の実施例に係る時間領域でＰＳＳを実装する装置構成の構造概略図である。
【発明を実施するための形態】
【００３２】
本発明の実施例に係る基本的な思想は、異なるサンプリングレートと異なるＮＩＤ（２）設定でのＰＳＳ時間領域シーケンスを予め記憶し、ＰＳＳパワー制御の関連パラメータ及びセルの関連パラメータ並びにタイミング情報に基づいて、ＰＳＳ時間領域パワー重み付けの関連パラメータを得て、予め記憶された異なるサンプリングレートと異なるＮＩＤ（２）設定でのＰＳＳ時間領域シーケンス、及びＰＳＳ時間領域パワー重み付けの関連パラメータに従って、ＰＳＳ時間領域シーケンスに対してパワー重み付け処理を行い、重み付け後のＰＳＳ時間領域シーケンスを得て、重み付け後のＰＳＳ時間領域シーケンスと前記ＰＳＳ以外の信号及びチャネルの時間領域データに対して加算演算を行い、処理後の時間領域データを得ることである。
【００３３】
前記ＰＳＳ時間領域パワー重み付けの関連パラメータは、セル基準信号パワー、セル基準信号パワーに対するＰＳＳのパワーオフセット、時間領域セル放送重み付け或いは巡回遅延ダイバーシティ（ＣＤＤ：Ｃｙｃｌｉｃ  Ｄｅｌａｙ  Ｄｉｖｅｒｓｉｔｙ）重み付け、時間領域アンテナ校正（ＡＣ：Ａｎｔｅｎｎａ  Ｃａｌｉｂｒａｔｉｏｎ）の関連重み付けを含む。
【００３４】
以下は図面及び具体的な実施例に合わせて本発明について更に詳細な説明を行う。
【００３５】
図２は本発明の実施例に係る時間領域でＰＳＳを実装する基本的な方法のフロー概略図であり、図２に示すように、本発明の実施例に係る時間領域でＰＳＳを実装する基本的な方法のフローは次のようなステップを含む。
【００３６】
ステップ３０１において、ＰＳＳパワー制御の関連パラメータ及びセルの関連パラメータ並びにタイミング情報に基づいて、ＰＳＳ時間領域パワー重み付けの関連パラメータを得る。
【００３７】
ここで、ＰＳＳパワー制御の関連パラメータ及びセルの関連パラメータ並びにタイミング情報に基づいてＰＳＳ時間領域パワー重み付けの関連パラメータを得る前に、前記方法は更に、
異なるサンプリングレートと異なるＮＩＤ（２）設定でのＰＳＳ時間領域シーケンスを予め記憶することを含む。
【００３８】
ここで、前記異なるサンプリングレートと異なるＮＩＤ（２）設定でのＰＳＳ時間領域シーケンスを予め記憶することは、具体的に、
異なるＮＩＤ（２）設定でのＰＳＳ時間領域シーケンスを予め得て、該ＰＳＳ時間領域シーケンスに対して異なるサンプリングレートでの逆高速フーリエ変換（ＩＦＦＴ：Ｉｎｖｅｒｓｅ  Ｆａｓｔ  Ｆｏｕｒｉｅｒ  Ｔｒａｎｓｆｏｒｍ）処理を行い、更に異なるサンプリングレートと異なるＮＩＤ（２）設定でのＰＳＳ時間領域シーケンスを得ることである。
【００３９】
ここで、前記ＰＳＳ時間領域シーケンスに対して異なるサンプリングレートでのＩＦＦＴ処理を行うことは、従来技術であり、詳細な説明を省略する。
【００４０】
前記異なるＮＩＤ（２）設定でのＰＳＳ時間領域シーケンスを予め得ることは、具体的に、
ＬＴＥ物理レイヤプロトコルにおけるＰＳＳの生成式を用いてＰＳＳ周波数シーケンスを得て、前記ＬＴＥ物理レイヤプロトコルにおけるＰＳＳの生成式は次式を満たす。
【００４１】
【数６】
0006055158.tif 000007
【００４２】
ここで、ＮＩＤ（２）の値域は｛０，１，２｝であり、ＮＩＤ（２）の値が０であるときに、ｕの値が２５であり、ＮＩＤ（２）の値が１であるときに、ｕの値が２９であり、ＮＩＤ（２）の値が２であるときに、ｕの値が３４である。
【００４３】
或いは、ゼロ周波数に対応する直流成分を排除しないＰＳＳ周波数領域シーケンス生成式を用いてＰＳＳ周波数領域シーケンスを得て、前記ゼロ周波数に対応する直流成分を排除しないＰＳＳ周波数領域シーケンス生成式は以下の式を満たす。
【００４４】
【数７】
0006055158.tif 000008
【００４５】
ここで、ＮＩＤ（２）の値域は｛０，１，２｝であり、ＮＩＤ（２）の値が０であるときに、ｕの値が２５であり、ＮＩＤ（２）の値が１であるときに、ｕの値が２９であり、ＮＩＤ（２）の値が２であるときに、ｕの値が３４である。
【００４６】
ここで、ＰＳＳシーケンスに対するＬＴＥ物理レイヤプロトコルにおける生成ルールにおいて、ＬＴＥスペクトルゼロ周波数に対応する直流成分、即ち次のサンプリングポイントが含まれない。
【００４７】
【数８】
0006055158.tif 000009
【００４８】
また、ＰＳＳ周波数シーケンスにゼロ周波数直流成分を増加することがＰＳＳ自身性能への影響が極めて小さく、無視できるほどものであることをアルゴリズムシミュレーションによって確認したため、ゼロ周波数直流成分を追加し、即ちｎ＝３１ときのサンプリングポイントをＬＴＥ物理レイヤプロトコルにおけるＰＳＳの生成式に添加した場合、対応するＰＳＳシーケンス生成式も次のように最適化される。
【００４９】
【数９】
0006055158.tif 000010
【００５０】
ステップ３０２において、予め記憶された異なるサンプリングレートと異なるＮＩＤ（２）設定でのＰＳＳ時間領域シーケンス、及びＰＳＳ時間領域パワー重み付けの関連パラメータに従って、ＰＳＳ時間領域シーケンスのパワー重み付け処理を完了し、重み付け後のＰＳＳ時間領域シーケンスを得る。
【００５１】
ここで、前記ＰＳＳ時間領域パワー重み付けの関連パラメータは、セル基準信号パワー、セル基準信号パワーに対するＰＳＳのパワーオフセット、時間領域セル放送重み付け或いはＣＤＤ重み付け、時間領域ＡＣの関連重み付けを含む。
【００５２】
前記予め記憶された異なるサンプリングレートと異なるＮＩＤ（２）設定でのＰＳＳ時間領域シーケンス、及びＰＳＳ時間領域パワー重み付けの関連パラメータに従って、ＰＳＳ時間領域シーケンスのパワー重み付け処理を完了し、重み付け後のＰＳＳ時間領域シーケンスを得ることは、具体的には、
予め記憶された異なるサンプリングレートと異なるＮＩＤ（２）設定でのＰＳＳ時間領域シーケンス、及びＰＳＳ時間領域パワー重み付けの関連パラメータに対して複素数乗算演算を行い、ＰＳＳ時間領域シーケンスのパワー重み付け処理を完了し、更に現在セル設定でのパワー重み付け後のＰＳＳ時間領域シーケンスを得ることを含む。
【００５３】
ステップ３０３において、重み付け後のＰＳＳ時間領域シーケンスとＰＳＳ以外の信号及びチャネルの時間領域データに対して加算演算を行う。
【００５４】
ここで、前記重み付け後のＰＳＳ時間領域シーケンスとＰＳＳ以外の信号及びチャネルの時間領域データに対して加算演算を行う前に、前記方法は更に、ＬＴＥダウンリンクのＰＳＳ以外の他の信号及びチャネルへのマッピングとＩＦＦＴによってＰＳＳ以外の他の信号とチャネルの時間領域データを得ることを含む。
【００５５】
前記重み付け後のＰＳＳ時間領域シーケンスとＰＳＳ以外の他の信号及びチャネルの時間領域データに対して加算演算を行うことは、具体的には、
ＰＳＳマッピングを行う必要があるシンボルに、パワー重み付けを完了したＰＳＳ時間領域データとＰＳＳ以外の他の信号及びチャネルの時間領域データに対して複素数加算演算を行い、処理後の時間領域データを得ることを含む。
【００５６】
本発明の実施例において、上記二種類の指定シンボルＲＥマッピングと周波数／時間領域変換を完了する方式は等価関係を有し、図３は本発明の実施例に係る周波数／時間領域でＰＳＳを実装する等価ブロック図であり、図３に示すように、従来技術において周波数領域でＰＳＳを実装する過程１は本発明の実施例における前記周波数領域でＰＳＳを実装する過程２とは等価であるが、本発明の実施例は、ＰＳＳ関連機能の完全実現を確保する前提で、周波数領域でＰＳＳ  ＲＥマッピングによる時間オーバーヘッドを回避し、更にＬＴＥダウンリンク物理レイヤリンクの処理効率を大幅に高める。
【００５７】
本発明の実施例は更にコンピュータ記憶媒体を提供し、前記コンピュータ記憶媒体にコンピュータ実行可能命令が記憶され、前記コンピュータ実行可能命令は本発明の実施例における前記時間領域でＰＳＳを実装する方法を実行するために用いられる。
【００５８】
図４は本発明の実施例に係る時間領域でＰＳＳを実装する方法のフロー概略図であり、図４に示すように、前記時間領域でＰＳＳを実装する方法のフロー概略図は次のようなステップを含む。
【００５９】
ステップ４０１において、異なるサンプリングレートと異なるＮＩＤ（２）設定でのＰＳＳ時間領域シーケンスを予め記憶する。
【００６０】
ここで、前記異なるサンプリングレートと異なるＮＩＤ（２）設定でのＰＳＳ時間領域シーケンスを予め記憶することは、具体的には、
異なるＮＩＤ（２）設定でのＰＳＳ時間領域シーケンスを予め得て、前記ＰＳＳ時間領域シーケンスに対して異なるサンプリングレートでのＩＦＦＴ処理を行い、更に異なるサンプリングレートと異なるＮＩＤ（２）設定でのＰＳＳ時間領域シーケンスを得ることを含む。
【００６１】
ここで、前記異なるＮＩＤ（２）設定でのＰＳＳ時間領域シーケンスを予め得ることは、具体的には、
ＬＴＥ物理レイヤプロトコルにおけるＰＳＳの生成式を用いてＰＳＳ周波数シーケンスを得て、前記ＬＴＥ物理レイヤプロトコルにおけるＰＳＳの生成式は次式を満たす。
【００６２】
【数１０】
0006055158.tif 000011
【００６３】
ここで、ＮＩＤ（２）の値域は｛０，１，２｝であり、ＮＩＤ（２）の値が０であるときに、ｕの値が２５であり、ＮＩＤ（２）の値が１であるときに、ｕの値が２９であり、ＮＩＤ（２）の値が２であるときに、ｕの値が３４である。
【００６４】
或いは、ゼロ周波数に対応する直流成分を排除しないＰＳＳ周波数領域シーケンス生成式を用いてＰＳＳ周波数領域シーケンスを得て、前記ゼロ周波数に対応する直流成分を排除しないＰＳＳ周波数領域シーケンス生成式は以下の式を満たす。
【００６５】
【数１１】
0006055158.tif 000012
【００６６】
ここで、ＮＩＤ（２）の値域は｛０，１，２｝であり、ＮＩＤ（２）の値が０であるときに、ｕの値が２５であり、ＮＩＤ（２）の値が１であるときに、ｕの値が２９であり、ＮＩＤ（２）の値が２であるときに、ｕの値が３４である。
【００６７】
ここで、ＬＴＥ物理レイヤプロトコルにおけるＰＳＳシーケンスに対する生成ルールにおいて、ＬＴＥスペクトルゼロ周波数に対応する直流成分が含まれないため、即ち次のサンプリングポイントが含まれない。
【００６８】
【数１２】
0006055158.tif 000013
【００６９】
また、ＰＳＳ周波数シーケンスにゼロ周波数直流成分を増加することがＰＳＳ自身性能への影響が極めて小さく、無視できるほどものであることをアルゴリズムシミュレーションによって確認したため、ゼロ周波数直流成分を追加し、即ちｎ＝３１ときのサンプリングポイントをＬＴＥ物理レイヤプロトコルにおけるＰＳＳの生成式に添加した場合、対応するＰＳＳシーケンス生成式も次のように最適化される。
【００７０】
【数１３】
0006055158.tif 000014
【００７１】
ステップ４０２において、ＰＳＳパワー制御の関連パラメータ及びセルの関連パラメータ並びにタイミング情報に基づいて、ＰＳＳ時間領域パワー重み付けの関連パラメータを得る。
【００７２】
前記ＰＳＳ時間領域パワー重み付けの関連パラメータは、セル基準信号パワー、セル基準信号パワーに対するＰＳＳのパワーオフセット、時間領域セル放送重み付け或いはＣＤＤ重み付け、時間領域ＡＣの関連重み付けを含む。
【００７３】
ステップ４０３において、予め記憶された異なるサンプリングレートと異なるＮＩＤ（２）設定でのＰＳＳ時間領域シーケンス、及びＰＳＳ時間領域パワー重み付けの関連パラメータに従って、ＰＳＳ時間領域シーケンスのパワー重み付け処理を完了し、重み付け後のＰＳＳ時間領域シーケンスを得る。
【００７４】
ここで、前記予め記憶された異なるサンプリングレートと異なるＮＩＤ（２）設定でのＰＳＳ時間領域シーケンス、及びＰＳＳ時間領域パワー重み付けの関連パラメータに従って、ＰＳＳ時間領域シーケンスのパワー重み付け処理を完了し、重み付け後のＰＳＳ時間領域シーケンスを得ることは、具体的には、
予め記憶された異なるサンプリングレートと異なるＮＩＤ（２）設定でのＰＳＳ時間領域シーケンス、及びＰＳＳ時間領域パワー重み付けの関連パラメータに対して複素数乗算演算を行い、ＰＳＳ時間領域シーケンスのパワー重み付け処理を完了し、更に現在セル設定でのパワー重み付け後のＰＳＳ時間領域シーケンスを得ることを含む。
【００７５】
ステップ４０４において、ＬＴＥダウンリンクのＰＳＳ以外の他の信号及びチャネルへのマッピングとＩＦＦＴ処理によってＰＳＳ以外の他の信号とチャネルの時間領域データを得る。
【００７６】
ステップ４０５において、重み付け後のＰＳＳ時間領域シーケンスとＰＳＳ以外の他の信号及びチャネルの時間領域データに対して加算演算を行う。
【００７７】
ここで、前記重み付け後のＰＳＳ時間領域シーケンスとＰＳＳ以外の他の信号及びチャネルの時間領域データに対して加算演算を行うことは、具体的には、
ＰＳＳマッピングを行う必要があるシンボルに、パワー重み付けを完了したＰＳＳ時間領域データとＰＳＳ以外の他の信号及びチャネルの時間領域データに対して複素数加算演算を行い、処理後の時間領域データを得ることを含む。
【００７８】
本発明の実施例は更にコンピュータ記憶媒体を提供し、前記コンピュータ記憶媒体にコンピュータ実行可能命令が記憶され、前記コンピュータ実行可能命令は本発明の実施例における前記時間領域でＰＳＳを実装する方法を実行するために用いられる。
【００７９】
図５は本発明の実施例に係る時間領域でＰＳＳを実装する装置構成の構造概略図であり、図５に示すように、前記時間領域でＰＳＳを実装する装置構成の構造は、パワー重み付けモジュール５１と少なくとも一つのＰＳＳ時間領域データ処理モジュールを含み、本実施例において、前記ＰＳＳ時間領域データ処理モジュールは三つに分かれ、具体的には、第一ＰＳＳ時間領域データ処理モジュール５２、第二ＰＳＳ時間領域データ処理モジュール５３、及び第三ＰＳＳ時間領域データ処理モジュール５４である。
【００８０】
前記パワー重み付けモジュール５１は、ＰＳＳパワー制御の関連パラメータ及びセルの関連パラメータ並びにタイミング情報に基づいて、ＰＳＳ時間領域パワー重み付けの関連パラメータを得て、ＰＳＳ時間領域パワー重み付けの関連パラメータを第一ＰＳＳ時間領域データ処理モジュール５２、第二ＰＳＳ時間領域データ処理モジュール５３、第三ＰＳＳ時間領域データ処理モジュール５４に送信するように構成される。
【００８１】
前記ＰＳＳ時間領域パワー重み付けの関連パラメータは、セル基準信号パワー、セル基準信号パワーに対するＰＳＳのパワーオフセット、時間領域セル放送重み付け或いはＣＤＤ重み付け、時間領域ＡＣの関連重み付けを含む。
【００８２】
前記第一ＰＳＳ時間領域データ処理モジュール５２と、前記第二ＰＳＳ時間領域データ処理モジュール５３と、前記第三ＰＳＳ時間領域データ処理モジュール５４とは、いずれも異なるサンプリングレートと異なるＮＩＤ（２）設定でのＰＳＳ時間領域シーケンスを予め記憶し、及び予め記憶された異なるサンプリングレートと異なるＮＩＤ（２）設定でのＰＳＳ時間領域シーケンス及びＰＳＳ時間領域パワー重み付けの関連パラメータに従って、ＰＳＳ時間領域シーケンスのパワー重み付け処理を完了し、重み付け後のＰＳＳ時間領域シーケンスを得て、重み付け後のＰＳＳ時間領域シーケンスと前記ＰＳＳ以外の他の信号及びチャネルの時間領域データに対して加算演算を行い、処理後の時間領域データを得るように構成される。
【００８３】
好ましく、前記時間領域でＰＳＳを実装する装置は更にｎパスＩＦＦＴ処理モジュールとデータキャッシュモジュール５６を含み、具体的には、本実施例における前記ｎパスＩＦＦＴ処理モジュールは３パスＩＦＦＴ処理モジュール５５である。
【００８４】
前記３パスＩＦＦＴ処理モジュール５５は、ＰＳＳ以外の他の信号及びチャネルの時間領域データを得て、ＰＳＳ以外の他の信号のチャネルの時間領域データをそれぞれ第一ＰＳＳ時間領域データ処理モジュール５２、第二ＰＳＳ時間領域データ処理モジュール５３、第三ＰＳＳ時間領域データ処理モジュール５４に送信するように構成される。
【００８５】
前記データキャッシュモジュール５６は、ＰＳＳ時間領域データ処理モジュールから送信した前記処理後の時間領域データを受信して、シンボルを単位として前記処理後の時間領域データをキャッシュするように構成される。
【００８６】
ここで、前記第一ＰＳＳ時間領域データ処理モジュール５２、第二ＰＳＳ時間領域データ処理モジュール５３及び第三ＰＳＳ時間領域データ処理モジュール５４は、それぞれ前記３パスＩＦＦＴ処理モジュール５５の３パスチャネル０、１、２に対応する。
【００８７】
前記データキャッシュモジュール５６はＲＡＭであることができる。
【００８８】
実際の応用において、前記ＬＴＥシステムにおいて時間領域でＰＳＳを実装する装置は更に少なくとも一つのＰＳＳ時間領域データ処理モジュールを含むことができ、各ＰＳＳ時間領域データ処理モジュールの機能が同様であり、本発明の実施例では、三つの時間領域データ処理モジュールのみ含むことを例とする。
【００８９】
これに対応し、前記３パスＩＦＦＴ処理モジュールは実際の応用においてｎパスＩＦＦＴ処理モジュールであることができ、ｎはチャネル数であり、ｎ≧１かつｎが正整数であり、ｎ値は前記ＬＴＥシステムにおいて時間領域でＰＳＳを実装する装置が含まれたＰＳＳ時間領域データ処理モジュールと同じである。
【００９０】
本発明の実施例において、前記ＬＴＥシステムにおいて時間領域でＰＳＳを実装する装置に、各処理モジュールの機能はプロセッサに実行されたプログラムによって実現されることができ、また具体的なロジック回路によって実現されることができ、例えば、前記ＬＴＥシステムにおいて時間領域でＰＳＳを実装する装置が位置しているｅＮｏｄｅＢにおける中央処理装置（ＣＰＵ）、マイクロプロセッシングユニット（ＭＰＵ）、デジタルシグナルプロセッサ（ＤＳＰ）、或いはフィールドプログラマブルゲートアレイ（ＦＰＧＡ）によって実現されることができ、前記データキャッシュモジュールも各種のメモリ、或いは記憶媒体によって実現されることができる。
【００９１】
本分野の当業者は、本発明の実施例が方法、システム又はコンピュータプログラム製品として提供されることができると理解すべきである。従って、本発明は、ハードウェア実施例、ソフトウェア実施例、又はハードウェア実施例及びソフトウェア実施例を組み合わせた形態を使用することができる。しかも、本発明は、コンピュータ使用可能プログラムコードを含む１つ以上のコンピュータで使用可能な記憶媒体（磁気ディスク記憶装置と光メモリなどを含むがこれらに限られない）に実施されるコンピュータプログラム製品の形態を使用することができる。
【００９２】
本発明は、本発明の実施例による方法、装置（システム）とコンピュータプログラム製品のフローチャート及び／又はブロック図を参照して説明される。コンピュータプログラム命令によってフローチャート及び／又はブロック図の各プロセス及び／又はブロックを実現し、またフローチャート及び／又はブロック図の中のプロセス及び／又はブロックの組み合わせを実現することができると理解すべきである。これらのコンピュータプログラム命令を汎用コンピュータ、専用コンピュータ、組み込みプロセッサ又は他のプログラム可能データ処理装置のプロセッサへ提供して１つのマシンを生成することができ、それによってコンピュータ又は他のプログラム可能データ処理装置のプロセッサで実行された命令により、フローチャートにおける１つ又は複数のプロセス及び／又はブロック図における１つ又は複数のブロックにて指定された機能を実現するための装置を生成する。
【００９３】
これらのコンピュータプログラム命令がコンピュータ又は他のプログラム可能データ処理装置が特定のモードで動作することをガイドすることができるコンピュータ可読メモリに記憶されることもでき、それによって、当該コンピュータ可読メモリに記憶された命令により命令装置が含まれる製造品を生成し、当該命令装置がフローチャートの１つ以上のプロセス及び／又はブロック図の１つ以上のブロックにおける指定された機能を実現する。
【００９４】
これらのコンピュータプログラム命令がコンピュータ又は他のプログラム可能データ処理装置にロードされることができ、それによってコンピュータ又は他のプログラム可能データ処理装置で実行された命令によりフローチャートの１つ以上のプロセス及び／又はブロック図の１つ以上のブロックにおける指定された機能を実現するためのステップを提供する。
【００９５】
以上は、本発明の最適的な実施例に過ぎなく、なお、本技術分野の当業者に対して、本発明の実施例の原理を脱離しない前提で、更に複数の改善及び修正を行うことができ、これらの改善及び修正も本発明の実施例の保護範囲と見なされるべきである。
【産業上の利用可能性】
【００９６】
本発明の実施例によれば、ＰＳＳ周波数ＲＥマッピングを完了し及び他の信号並びにチャネルマッピングのシンボルをＩＦＦＴ処理によって周波数／時間領域変換を実現し、更に該シンボルに対する時間領域データを得て、ＰＳＳ及びＰＳＳ以外の他の信号並びにチャネルのデータとそれぞれＲＥマッピングとＩＦＦＴ処理を行って二セットの時間領域データを得て、それぞれ得られた二セットの時間領域データに対して加算演算を行う。このように、ＰＳＳ関連機能の完全実現を確保する前提で、周波数領域ＰＳＳ  ＲＥマッピングによる時間オーバーヘッドを回避し、更にＬＴＥダウンリンク物理レイヤリンクの処理効率を大幅に高める。
【要約】
本発明の実施例は時間領域でプライマリ同期信号（ＰＳＳ）を実装する方法を開示し、異なるサンプリングレートと異なるＮＩＤ（２）設定でのＰＳＳ時間領域シーケンスを予め記憶し、ＰＳＳパワー制御の関連パラメータ及びセルの関連パラメータ並びにタイミング情報に基づいて、ＰＳＳ時間領域パワー重み付けの関連パラメータを得て、予め記憶された異なるサンプリングレートと異なるＮＩＤ（２）設定でのＰＳＳ時間領域シーケンス、及びＰＳＳ時間領域パワー重み付けの関連パラメータに従って、ＰＳＳ時間領域シーケンスのパワー重み付け処理を完了し、重み付け後のＰＳＳ時間領域シーケンスを得て、重み付け後のＰＳＳ時間領域シーケンスとＰＳＳ以外の他の信号及びチャネルの時間領域データに対して加算演算を行う。本発明の実施例は同時に時間領域でプライマリ同期信号（ＰＳＳ）を実現する装置及びコンピュータ記憶媒体を開示する。
【選択図】図２【図１】
0006055158.tif 000017
【図２】
0006055158.tif 000018
【図３】
0006055158.tif 000019
【図４】
0006055158.tif 000020
【図５】
0006055158.tif 000021